(57)【要約】【課題】薄型かつ小型であるホログラム再生装置を提供する。【解決手段】ホログラム再生装置１は、参照光の光源であるレーザ光源部と撮像部とを保持し、ホログラム媒体７０の一方の面側に配置したピックアップ部１１０と、ホログラム媒体７０を保持するための保持部としての媒体ステージ１２０と、ホログラム媒体７０の他方の面側に配置し、ホログラム媒体７０を透過した前記参照光を反射してホログラム媒体７０へ入射させるミラー１０１とを備える。ピックアップ部１１０は、ホログラム媒体７０の面と平行な１つの方向であるピックアップ部駆動方向５０１に移動可能となっており、ミラー１０１は、ピックアップ部駆動方向５０１に延在している。【選択図】図１
2010061738.tif 000002
【特許請求の範囲】
【請求項１】
参照光の光源であるレーザ光源部と撮像部とを保持し、ホログラム媒体の一方の面側に配置したピックアップ部と、
前記ホログラム媒体を保持するための保持部と、
前記ホログラム媒体の他方の面側に配置し、前記ホログラム媒体を透過した前記参照光を反射して前記ホログラム媒体へ入射させるミラーとを備え、
前記ピックアップ部は、前記ホログラム媒体の面と平行な１つの方向であるピックアップ部駆動方向に移動可能となっており、
前記ミラーは、前記ピックアップ部駆動方向に延在している、ホログラム再生装置。
【請求項２】
前記ミラーは回転可能であり、前記ミラーの回転の中心軸は前記ピックアップ部駆動方向と平行となっている、請求項１に記載のホログラム再生装置。
【請求項３】
前記ピックアップ部を前記ピックアップ部駆動方向に移動させるためのスライド軸と、
前記ミラーを回転させる回転軸と、
前記回転軸を保持する軸受けとを備え、
前記スライド軸と前記軸受けとは、同一の部材に対してそれぞれ固定されている請求項１または２に記載のホログラム再生装置。
【請求項４】
前記ミラーを回転させる回転軸と、
前記回転軸に取り付けられたウォームホイールと、
前記ウォームホイールと嵌合するウォームギアと、
前記ウォームギアを回転させるためのモータとを備え、
前記モータは前記回転軸よりも前記ホログラム媒体側に配置されている、請求項１から３のいずれかに記載のホログラム再生装置。
【請求項５】
前記保持部は、前記ピックアップ部駆動方向とは垂直な方向に駆動される、請求項１から４のいずれかに記載のホログラム再生装置。
【請求項６】
前記保持部は前記ホログラム媒体を一定方向に駆動することができ、前記ホログラム媒体を前記保持部に着脱する方向は前記ホログラム媒体が駆動される方向である、請求項１から５のいずれかに記載のホログラム再生装置。
【請求項７】
前記ホログラム媒体は円板状であり、
前記ホログラム媒体はその中心を通る垂線を中心に回転駆動される、請求項１から６のいずれかに記載のホログラム再生装置。
【請求項８】
ピックアップ部駆動方向に平行な中心軸の周りに回転可能でかつ前記ピックアップ部駆動方向に延在するミラーと、ホログラム媒体を保持するための保持部とを備えるホログラム再生装置に対して、前記ピックアップ部駆動方向に垂直な方向に沿って、前記保持部の内部に向けて前記ホログラム媒体を挿入し始め、前記ホログラム媒体の第１列の記録内容を再生するための位置で前記ホログラム媒体の挿入を停止する第１工程と、
前記ホログラム媒体の第１列のうち、いずれか一方を始点とし他方を終点として、前記始点から前記終点に向けてピックアップ部を移動して前記記録内容を再生する第２工程と、
前記光ピックアップ部が前記終点に到達した後、前記ホログラム媒体の第１列の記録された領域が再生される位置から、次の領域である第２列の記録内容が再生される位置へと、前記ホログラム媒体を移動する第３工程とを含む、ホログラム再生方法。
【発明の詳細な説明】
【技術分野】
【０００１】
本発明は、ホログラム再生装置およびホログラム再生方法に関するものである。
【背景技術】
【０００２】
ホログラフィーを使ってデータの記録あるいは再生を行なうホログラム記録・再生装置の研究開発が進められている。ホログラム記録・再生装置では、変調された「信号光」および変調されない「参照光」の２つの光をレーザ光から生成し、これらをホログラム媒体の同一場所に向けて照射する。これにより、ホログラム媒体上で信号光と参照光とが干渉して照射点に回折格子（ホログラム）が形成される。その結果、ホログラム媒体にデータが記録される。ホログラム記録装置では、ホログラム媒体に対する参照光の入射角を変化させながらデータを記録することで、ホログラム媒体の同一領域に複数のデータを重ねて記録することができる。これを「角度多重記録方式」ともいう。このように多重記録することで、記録容量の増大を図ることができる。記録したデータを読み取る際には、ホログラム媒体に形成された回折格子に向けて参照光を入射させる。こうすることで、回折格子から回折光が発生する。この回折光を「再生光」ともいう。この再生光を撮像素子で検出することによって、当該ホログラム媒体に記録されていた情報を読み取ることができる。
【０００３】
角度多重記録方式のホログラム記録・再生装置では、参照光の入射角を変えることで、ホログラム媒体の同一領域に記録された複数のデータを読み取ることができる。参照光のホログラム媒体への入射角度を変える手段として、たとえばガルバノミラーのような、回転軸を取り付け、回転角を制御可能にしたミラーが用いられる。
【０００４】
角度多重記録方式により記録されたデータを再生する方法の一例が特開２００６−２３５３６４号公報（特許文献１）に記載されている。
【０００５】
特許文献１の図６（ｃ）に示された構成では、記録媒体の下側に記録媒体から離隔するようにしてミラーとしての反射膜が配置されており、光源から照射された参照光は、記録媒体を挟んで反対側に設けられた反射膜によって反射され、その反射光が記録領域に入射することによって再生光としての回折光が発生する。この再生光は記録媒体から見て反射膜が配置された側ではなく、光源が配置されている側に向かって出射するので、光源が配置されている側に設けられた光検出器によって再生光を受光し、情報再生信号を得る構成となっている。
【特許文献１】特開２００６−２３５３６４号公報
【発明の開示】
【発明が解決しようとする課題】
【０００６】
特許文献１では、ホログラム記録・再生装置を実現する具体的な構成について記載されていない。特許文献１の図８では、記録媒体を挟むように配置された光源および反射ミラーが示されているが、そのような位置関係に配置するための具体的な構成は特許文献１では記載されていない。ホログラム方式で記録されたデータを再生するためには、記録媒体と、光源および反射ミラーとの相対的な位置関係が正確に管理されている必要があるが、特許文献１では、記録媒体の全面を覆うような大型の反射ミラーが用いられており、さらに、反射ミラー全体にミラー駆動機構なるものを接続した構成をなっているので、装置が大型化するといった問題がある。
【０００７】
そこで、本発明は、薄型かつ小型であるホログラム再生装置を提供することを目的とする。さらに、本発明は、必要な装置を薄型かつ小型にすることができるホログラム再生方法を提供することを目的とする。
【０００８】
なお、「ホログラム再生装置」といった場合、ホログラム方式で記録されたデータの再生を専ら行なういわゆる再生専用装置に限らず、記録および再生の両方の行為が行なえる記録・再生装置であってもよい。
【課題を解決するための手段】
【０００９】
上記目的を達成するため、本発明に基づくホログラム再生装置は、参照光の光源であるレーザ光源部と撮像部とを保持し、ホログラム媒体の一方の面側に配置したピックアップ部と、上記ホログラム媒体を保持するための保持部と、上記ホログラム媒体の他方の面側に配置し、上記ホログラム媒体を透過した上記参照光を反射して上記ホログラム媒体へ入射させるミラーとを備え、上記ピックアップ部は、上記ホログラム媒体の面と平行な１つの方向であるピックアップ部駆動方向に移動可能となっており、上記ミラーは、上記ピックアップ部駆動方向に延在している。
【発明の効果】
【００１０】
本発明によれば、ホログラム再生装置を薄型かつ小型にすることができる。
【発明を実施するための最良の形態】
【００１１】
（実施の形態１）
（構成）
図１〜図６を参照して、本発明に基づく実施の形態１におけるホログラム再生装置について説明する。ホログラム再生装置１は、参照光の光源であるレーザ光源部としてのレーザ光源装置８０（図６参照）と撮像部としての撮像装置９０（図６参照）とを保持し、ホログラム媒体７０の一方の面側に配置したピックアップ部１１０と、ホログラム媒体７０を保持するための保持部としての媒体ステージ１２０（図１参照）と、ホログラム媒体７０の他方の面側に配置し、ホログラム媒体７０を透過した前記参照光を反射してホログラム媒体７０へ入射させるミラー１０１とを備える。ピックアップ部１１０は、ホログラム媒体７０の面と平行な１つの方向であるピックアップ部駆動方向５０１に移動可能となっており、ミラー１０１は、ピックアップ部駆動方向５０１に延在している。
【００１２】
このホログラム再生装置１は、図１に示すように、ホログラム媒体７０に対する参照光の入射角度を、回転制御ミラー装置１００によって制御することにより、ホログラム媒体７０に多重記録された情報を読み取ることができるように構成された装置である。ホログラム媒体７０そのものは、ホログラム再生装置１の一部をなすものではないが、説明の便宜のため、図１ではホログラム媒体７０も含めて表示している。以下の図においても同様である。
【００１３】
図１、図３に示すように、回転制御ミラー装置１００は、ミラー１０１を備えている。図１、図３に示すように、媒体ステージ１２０は、ホログラム媒体７０を保持し、移動させるためのものである。ピックアップ部１１０は、ホログラム媒体７０上に記録された情報を読み取るためのものである。
【００１４】
図２に示すように、ホログラム媒体７０の表面に沿って、すなわち、面内方向に展開するように多数のデータ記録箇所４０１が存在する。これらの多数のデータ記録箇所４０１の中から再生すべきデータ記録箇所を選択するために、ホログラム媒体７０と、ピックアップ部１１０とは、ホログラム媒体７０の面と平行に相対移動させられる。図１に示すように、媒体ステージ２は、互いに平行に配置された２本のガイドシャフト５，６によって平行移動することが可能となっている。ピックアップ部１１０は、互いに平行に配置された２本のガイドシャフト３，４によって平行移動することが可能となっている。
【００１５】
図３は、ホログラム再生装置１の概略的な構成を、ガイドシャフト５，６の中心軸の方向から見たところを示した図である。ピックアップ部１１０は、ガイドシャフト３，４を挿入する軸受け１１５を備える。ピックアップ部１１０は、図示しない駆動装置によって、ガイドシャフト３，４に沿って図３における左右方向に移動させられる。ガイドシャフト３，４は筐体２に固定されており、ガイドシャフト３，４はホログラム媒体７０の面と平行である。したがって、ピックアップ部１１０は、ホログラム媒体７０の面に対して平行な一定方向に沿って駆動される。その結果、ピックアップ部１１０は区間４１０の間で任意の位置に位置決めすることができる。
【００１６】
図４は、ホログラム再生装置１の概略的な構成を、ガイドシャフト３，４の中心軸の方向から見たところを示した図である。ホログラム媒体７０を保持した媒体ステージ１２０は、ガイドシャフト５，６を挿入する軸受け１２５を備える。媒体ステージ１２０は、図示しない駆動装置によって、ガイドシャフト５，６に沿って図４における左右方向に移動させられる。ガイドシャフト５，６は、ホログラム媒体７０の面と平行であり、かつ、ピックアップ部１１０の移動方向とは垂直になるように、筐体２に固定されている。したがって、ホログラム媒体７０はピックアップ部１１０の移動方向すなわちピックアップ部駆動方向５０１とは垂直な方向に駆動される。その結果、ピックアップ部１１０は区間４２０の間で任意の位置に位置決めすることができる。
【００１７】
このような構成により、ホログラム媒体７０とピックアップ部１１０とはホログラム媒体７０の記録面と平行になるよう相対的に駆動される。
【００１８】
図５は、ピックアップ部１１０と媒体ステージ１２０とが駆動される様子を示した図である。ピックアップ部１１０と、媒体ステージ１２０をそれぞれ独立に駆動し、相対的に位置決めすることで、ホログラム媒体７０上の、面内方向にアレイ状に配列された多数のデータ記録箇所の中から再生すべきデータ記録箇所を選択し、記録されたデータを読み取ることができる。
【００１９】
（作用・効果）
本実施の形態におけるホログラム再生装置によれば、装置全体を薄型かつ小型にすることができる。
【００２０】
（多重記録されたデータを読み取る方法）
次に、図６〜図９を参照して、単一のデータ記録箇所に多重記録されたデータを読み取る方法について説明する。
【００２１】
図６は、ミラー１０１とピックアップ部１１０とホログラム媒体７０との概略的な構成を示した図である。ホログラム媒体７０は、感光性材料でありデータが記録される層であるホログラム記録層７１を備える。ホログラム記録層７１は基材７２ａと基材７２ｂとによって挟まれている。
【００２２】
ホログラム媒体７０からのデータの読み出しを行なおうとする場合、図６に示すように、ミラー１０１は、ホログラム媒体７０の基材７２ａ側に配置され、ピックアップ部１１０はその反対側である基材７２ｂ側に配置される。
【００２３】
図６に示すように、ピックアップ部１１０は、レーザ光源装置８０と、撮像装置９０と、ピックアップハウジング１１１とを含む。レーザ光源装置８０は、レーザダイオード８１と、ミラー８４と、コリメートレンズ８２と、コリメートレンズ８２を保持するコリメートレンズホルダ８３とを含む。
【００２４】
レーザダイオード８１はレーザ光ＰＡを発光する。レーザ光ＰＡはミラー８４によって光路を折り曲げられ、コリメートレンズ８２に入射する。このように光路が折り曲げられていることは、装置の薄型化に寄与している。コリメートレンズ８２はレーザダイオード８１により発光されたレーザ光ＰＡを平行光にする。この平行光が参照光Ｒ１である。ミラー８４とコリメートレンズ８２との配列順序を逆にして、ミラー８４は参照光Ｒ１の光路を折り曲げるものとしてもよい。
【００２５】
レーザ光源装置８０から出射したレーザ光ＰＡから生成された参照光Ｒ１は、基材７２ｂからホログラム媒体７０の内部に入射し、基材７２ａから出射する。このように参照光Ｒ１がホログラム媒体７０を透過することになるが、この際の参照光Ｒ１の入射角は、データが再生される条件を満たしていないので、この透過の際には再生光は生じない。基材７２ａから出射した参照光Ｒ１はミラー１０１によって反射され、参照光Ｒ２として、再びホログラム媒体７０に向かう。このときの参照光Ｒ２は、データが再生される条件を満たす入射角でホログラム媒体７０に対し照射される。データ記録済みのホログラム媒体７０に参照光Ｒ２が照射されることで、基材７２ａと基材７２ｂとに挟まれたホログラム記録層７１に形成済みの回折格子から回折光すなわち再生光が発生する。この再生光は、記録時の信号光に重畳されたデータを含んでいるので、これを撮像装置９０で受光することにより、記録されていたデータを得ることができる。
【００２６】
図６に示すように、撮像装置９０は、再生光を受光するための撮像素子９１と、再生光を撮像素子９１の撮像面に結像させるための対物レンズ９２と、対物レンズを保持する対物レンズホルダ９３と、不要な光を除去するための絞り９４とを含む。撮像素子９１としては、たとえばＣＣＤ（Charge-Coupled Device）エリアセンサを用いることができ、ＣＭＯＳ（Complementary Metal-Oxide-Semiconductor）を採用したＣＭＯＳセンサなどを用いることもできる。この撮像素子９１で検出された信号をもとに２次元パターン情報を再生し、ホログラム媒体７０に記録されていたデータが読み取られる。
【００２７】
図７は、多重記録されたデータを読み取る様子を示した概略的な図である。回転制御ミラー装置１００によってミラー１０１の角度を回転軸２ｂ周りに変化させることで、ホログラム媒体７０に対する参照光Ｒ２の入射角を変化させ、ホログラム媒体７０の同一領域に多重に記録された複数のデータから所望のものを選択して読み取ることができる。
【００２８】
図８、図９は、回転制御ミラー装置１００を模式的に示した図である。図８に示すように、矩形のミラー１０１はミラーホルダ１０２の中間部に固定されている。ミラーホルダ１０２の両端には、回転軸１０２ａ，１０２ｂが互いに同軸となるように形成されており、図９に示すように、回転軸１０２ａ，１０２ｂの中心軸である軸線１０２ｘと、ミラー１０１の長手方向とは平行となっている。
【００２９】
（ミラーを回転させるための機構）
図９に示すように、本実施の形態におけるホログラム再生装置は、ミラー１０１を回転させる回転軸１０２ａ，１０２ｂと、回転軸１０２ｂに取り付けられたウォームホイール１０５と、このウォームホイール１０５と嵌合するウォームギア１０７と、ウォームギア１０７を回転させるためのモータ１０６とを備え、モータ１０６は回転軸１０２ａ，１０２ｂよりもホログラム媒体７０側に配置されていることが好ましい。
【００３０】
回転軸１０２ａ，１０２ｂは、それぞれ筐体２に固定された軸受け１０３，１０４によって回転可能に支持されている。ミラーホルダ１０２の回転軸１０２ｂには、ウォームホイール１０５が取り付けられている。図８、図１０に示すように筐体２に固定されたモータ１０６の出力軸には、ウォームホイール１０５の歯車部分とかみ合うウォームギア１０７が直結している。モータ１０６によってミラーホルダ１０２を回転させることによって、ミラー１０１を軸線１０２ｘの周りに回転させ、参照光Ｒ２の入射角を制御する。モータ１０６を回転軸１０２ａ，１０２ｂよりもホログラム媒体７０側に配置し、ウォームホイール１０５によってモータ１０６の駆動を伝達することで、装置全体を薄型化している。
【００３１】
図１に示すように、本実施の形態におけるホログラム再生装置では、前記ミラーは回転可能であり、前記ミラーの回転の中心軸は前記ピックアップ部駆動方向と平行となっていることが好ましい。図９に示すように、回転軸１０２ａ，１０２ｂの中心軸である軸線１０２ｘは、ガイドシャフト３，４と平行であり、図３に示すように、ミラー１０１の長手方向とピックアップ部駆動方向５０１とは平行となる。ミラー１０１の長手方向とピックアップ部駆動方向５０１とが平行であるので、ピックアップ部１１０が区間４１０の途中の任意の位置に停止しても、図６に示すようにミラー１０１によって参照光Ｒ１を反射し、参照光Ｒ２としてホログラム媒体７０に対し入射させることができる。このような構成にすることで、ピックアップ部１１０の重量を低下させることができ、より小型のモータによる駆動が可能となる。
【００３２】
本実施の形態におけるホログラム再生装置では、ピックアップ部１１０と回転制御ミラー装置１００とを、ホログラム媒体７０を迂回して接続するための接続部材が不要であるので、接続部材が動作するための空間が不要である。
【００３３】
ミラー１０１にとって軸受けは長手方向に延長されていることから、軸受け１０３，１０４間の位置調整によって、ミラー１０１とピックアップ部１１０との位置関係の修正を行ないやすい。軸受け１０３と軸受け１０４との間の距離をＬ、各軸受けの位置決め精度をΔｄとすると、ミラー１０１の角度の調整分解能Δθは
Δθ≒ｔａｎ-1（Δｄ／Ｌ）
である。したがって、Ｌが大きいほど精度良く調整することができる。本実施の形態では、ミラー１０１をピックアップ部１１０に搭載していない構成であるが、ミラー１０１とピックアップ部１１０との間の位置精度を高めることができる。
【００３４】
ミラー１０１の回転軸はピックアップ部１１０の移動方向すなわちピックアップ部駆動方向５０１と平行であるので、照射角度の選択は回転制御ミラー１１０によってのみ行われ、ホログラム媒体７０の面内方向の移動はピックアップ部１１０と媒体ステージ１２０によってのみ行われる。よって、本実施の形態では、ホログラム媒体７０の面内方向の位置決めを担う構造と、ミラーの角度の位置決めを担う構造とが分離されているので、制御が簡単になる。
【００３５】
本実施の形態におけるホログラム再生装置１は、ピックアップ部１１０をピックアップ部駆動方向５０１に移動させるためのスライド軸としてのガイドシャフト３，４と、ミラー１０１を回転させる回転軸１０２ａ，１０２ｂと、回転軸１０２ａ，１０２ｂを保持する軸受け１０３，１０４とを備え、前記スライド軸と前記軸受け１０３，１０４とは、同一の部材に対してそれぞれ固定されていることが好ましい。
【００３６】
図３に示すように、本実施の形態におけるホログラム再生装置では、回転制御ミラー装置１００の回転軸を支持する軸受け１０３，１０４と、ピックアップ部１１０を支持するガイドシャフト３，４とは、いずれも筐体２に支持固定されている。すなわち、回転制御ミラー装置１００と、ピックアップ部１１０とは、同一の部材としての筐体２に固定された案内部材にそれぞれ支持された状態となっているので、このホログラム再生装置の組立時には、位置決め精度を高く組み立てることができる。したがって、回転制御ミラー装置１００とピックアップ部１１０とが互いに独立な部材であっても、互いの位置精度を高くし、良好な再生像を得ることができる。
【００３７】
ピックアップ部１１０は、ホログラム媒体７０を挟んで回転制御ミラー装置１００とは反対側に配置されている。レーザ光源装置８０から出射したレーザ光は一旦ホログラム媒体７０を透過し、ミラー１１０へ入射し、ホログラム媒体７０へ向けて反射される。この構成を採用することにより、レーザ光源８０と撮像装置９０とを同一のピックアップハウジング１１１内で互いに接近させ配置できるので、装置全体を小型化、薄型化することができる。
【００３８】
本実施の形態におけるホログラム再生装置１においては、保持部としての媒体ステージ１２０は、ピックアップ部駆動方向５０１とは垂直な方向に駆動されることが好ましい。
【００３９】
ホログラム媒体７０は、ピックアップ部１１０とは垂直な方向に、ホログラム媒体７０の面方向に、すなわちいわゆる「面内で」駆動される。この駆動は、ピックアップ部１１０とは独立に行なわれる。ホログラム媒体７０を、ピックアップ部１１０と独立な方向に駆動される媒体ステージ１２０に搭載し、ピックアップ部１１０と媒体ステージ１２０とによってホログラム媒体７０の面内移動を行なわせることで、たとえばホログラム媒体７０を２軸駆動式のステージに搭載して面内移動を行なわせる場合よりも、モータの小型化およびステージ全体の小型化が可能となる。また、ここまでの説明では、ホログラム媒体７０が矩形であることを前提として説明してきたが、矩形であれば取扱いがしやすいので好ましい。ただし、「矩形」といった場合、厳密な矩形以外にほぼ矩形とみなせる形状も含まれるものとする。なお、後述するように、ホログラム媒体は矩形以外の形状であってもよい。
【００４０】
（ホログラム媒体のローディング方法）
保持部としての媒体ステージ１２０は、ホログラム媒体７０を一定方向に駆動することができ、ホログラム媒体７０を前記保持部に着脱する方向はホログラム媒体７０が駆動される方向であることが好ましい。
【００４１】
図１１を参照して、本実施の形態におけるホログラム再生装置１におけるホログラム媒体７０のローディング方法について説明する。媒体ステージ１２０の前側は、ホログラム媒体７０を挿入可能なように開放された形となっている。ここでいう「前側」とは矢印５１０で示す側である。ホログラム再生装置１の筐体２内部においては、ガイドシャフト４が前側にあり、ガイドシャフト３が後ろ側にある。筐体２は、ホログラム媒体７０を出し入れするために、前側に図示しない開口部を備えている。ホログラム媒体７０を出し入れする方向と媒体ステージ１２０の駆動方向とが一致しているので、ホログラム媒体７０を装填する場合には、予め媒体ステージ１２０を筐体２の前端に近い位置まで移動させておき、ホログラム媒体７０を、筐体２の開口部を通じて挿入する。このとき、ホログラム媒体７０の挿入は、媒体ステージ駆動方向５０２と同一方向に沿って行なわれることになる。ホログラム媒体７０は、媒体ステージ１２０に対して前側から挿入され、媒体ステージ１２０によって保持される。こうしてローディングが完了する。
【００４２】
このようなローディング方法を行なうことで、媒体ステージ１２０の駆動機構をローディング機構として使用できる。したがって、装置全体の機構を簡略化することができる。
【００４３】
（実施の形態２）
図１２を参照して、本発明に基づく実施の形態２におけるホログラム再生方法について説明する。
【００４４】
本実施の形態におけるホログラム再生方法は、図１２に示すように第１〜第３工程を含む。すなわち、このホログラム再生方法は、ピックアップ部駆動方向５０１に平行な中心軸としての軸線１０２ｘの周りに回転可能でかつピックアップ部駆動方向５０１に延在するミラー１０１と、ホログラム媒体７０を保持するための保持部としての媒体ステージ１２０とを備えるホログラム再生装置１に対して、ピックアップ部駆動方向５０１に垂直な方向に沿って、前記保持部の内部に向けて前記ホログラム媒体を挿入し始め、前記ホログラム媒体の第１列の記録内容を再生するための位置で前記ホログラム媒体の挿入を停止する第１工程と、前記ホログラム媒体の第１列のうち、いずれか一方を始点とし他方を終点として、前記始点から前記終点に向けてピックアップ部を移動して前記記録内容を再生する第２工程と、前記ピックアップ部が前記終点に到達した後、前記ホログラム媒体の第１列の記録された領域が再生される位置から、次の領域である第２列の記録内容が再生される位置へと、前記ホログラム媒体を移動する第３工程とを含む。
【００４５】
（第１工程）
まず、第１工程について詳しく説明する。図６に示すようにピックアップ部１１０のうち前側のレーザ光源装置８０を設けた領域の上部には空間がある。回転制御ミラー装置１００は、ピックアップ部駆動方向に対して垂直な面への投影面積が小さいためである。そこで、第１工程においては、図１１に示すようにその空間にホログラム媒体７０を受け入れることによって、ホログラム媒体７０の挿入を容易にすることができる。
【００４６】
また、空間があるため、ホログラム媒体７０を保持するための保持部を設計しやすく、すなわち、媒体ステージ１２０の設計の自由度が高くなる。したがって、媒体ステージ１２０を厚肉に設計することができる。その結果、たわみや振動により再生光が正確に得られなくなることを防止することができる。また、ホログラム媒体７０を保持部に対して繰り返し着脱した際にホログラム媒体７０の保持部に対する位置決め精度を上げるための機構などを取り付けることもできるようになる。
【００４７】
よって、安定したホログラム再生を実現することができる。
一般に、ホログラム方式で記録されたデータを再生する場合には、記録時の状態と同じ状態を実現しなければ、所望の再生光を得ることができない。本発明に基づくホログラム再生装置では、再生に必要となるピックアップ部１１０やミラー１０１は、位置精度の高い構成としている。しかし、ホログラム媒体の保持部の保持精度が悪ければ正常にデータを再生することができない。そこで、本発明のホログラム再生方法のように、領域が確保できる側からホログラム媒体を挿入することによって、ホログラム方式のデータ再生を確実にすることができる。また、本実施の形態におけるホログラム再生方法を採用する場合、薄型かつ小型のホログラム再生装置とすることができる。
【００４８】
（第２工程）
次に第２工程について詳しく説明する。第２工程は、ピックアップ部を移動して１列分のデータを読み出す工程である。この工程を円滑に行なうためには、挿入されたホログラム媒体の初期位置を決定しておくことが好ましい。挿入したホログラム媒体の端部のいずれか一方から再生を開始するために、ピックアップ部１１０を設定しておくことによって、再生開始時間を短縮することができる。
【００４９】
（第３工程）
次に第３工程について詳しく説明する。第３工程は、前記ピックアップ部が前記終点に到達した後、前記ホログラム媒体の第１列の記録された領域が再生される位置から、次の領域である第２列の記録内容が再生される位置へと、前記ホログラム媒体を移動する工程である。言い換えれば、ピックアップ部による第１列のスキャンが終わった後に、ピックアップ部を動作させ、次の列にホログラム媒体をずらすものである。このようにすることで、きわめて短い時間でデータを再生することができる。
【００５０】
（作用・効果）
本実施の形態におけるホログラム再生方法を行なうことにより、必要な装置を薄型かつ小型にすることができる。
【００５１】
なお、図１３に示すように、第１列Ｌ１の始点４０５から終点４０６に向けて順に再生光を読み取って再生した後、次の第２列Ｌ２では先ほどの第１列Ｌ１の終点４０６から始点４０５に向かう向きに読み取って順に再生していくことが好ましい。すなわち、第２列Ｌ２においては、データ記録箇所４０７からデータ記録箇所４０８に向かう向きに読み取っていくことが好ましい。さらにその次の第３列Ｌ３では、再び第１列Ｌ１のときと同じ向きに読み取っていく。このようにして蛇行するように読み取っていけば、無駄な移動時間をなくすことができるので、より短時間で多量のデータを再生することが可能となる。
【００５２】
（実施の形態３）
（構成）
図１４、図１５を参照して、本発明に基づく実施の形態３におけるホログラム再生装置について説明する。
【００５３】
本実施の形態のホログラム再生装置１ｈにおいて実施の形態１のホログラム再生装置１と同様の構成は実施の形態１で用いたのと同一の符号で示すものとし、説明を繰り返さない。
【００５４】
これまでの実施の形態では、ホログラム媒体が矩形状であることを前提に説明してきたが、前記ホログラム媒体は円板状であり、前記ホログラム媒体はその中心を通る垂線を中心に回転駆動されるものであってもよい。本実施の形態では、ホログラム媒体が円板状である場合について、説明する。
【００５５】
本実施の形態におけるホログラム再生装置１ｈで用いられるホログラム媒体１３０は、円板状である。このホログラム媒体１３０においては、図１５に示すように、半径方向Ｄ１および円周方向Ｄ２に並ぶようにデータが記録されている。このホログラム再生装置１ｈは、ホログラム媒体１３０の中心部分を支持することができる回転機構１３１を備える。回転機構１３１は、回転機構１３１は、ホログラム媒体１３０を回転させ、位置決めするためのものである。
【００５６】
本実施の形態では、ピックアップ部１１０ｈがガイドシャフト３，４に沿って移動することによって半径方向の位置決めを行ない、ホログラム媒体１３０の回転角度によって円周方向の位置決めを行なうことによって、所望のデータ記録箇所を選択し、そのデータ記録箇所に記録されたデータを読み取る。
【００５７】
（作用・効果）
本実施の形態におけるホログラム再生装置のように、円板状のホログラム媒体を用いることとすれば、ホログラム媒体の回転により読み取り位置の変更を行なうことができるため、ホログラム媒体の移動のための空間を用意する必要がなく、装置全体を小型化することができる。
【００５８】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５９】
【図１】本発明に基づく実施の形態１におけるホログラム再生装置の斜視図である。
【図２】本発明に基づく実施の形態１におけるホログラム再生装置で用いられるホログラム媒体の概念図である。
【図３】本発明に基づく実施の形態１におけるホログラム再生装置の第１の方向から見た図である。
【図４】本発明に基づく実施の形態１におけるホログラム再生装置の第２の方向から見た図である。
【図５】本発明に基づく実施の形態１におけるホログラム再生装置の動作の説明図である。
【図６】本発明に基づく実施の形態１におけるホログラム再生装置のレーザ光源装置、ミラー、撮像装置などの概略的な構成を示した図である。
【図７】本発明に基づく実施の形態１におけるホログラム再生装置が多重記録されたデータを読み取る様子の説明図である。
【図８】本発明に基づく実施の形態１におけるホログラム再生装置に含まれる回転制御ミラー装置の分解図である。
【図９】本発明に基づく実施の形態１におけるホログラム再生装置に含まれる回転制御ミラー装置の側面図である。
【図１０】本発明に基づく実施の形態１におけるホログラム再生装置に含まれる回転制御ミラー装置の回転伝達部分の説明図である。
【図１１】本実施の形態におけるホログラム再生装置におけるホログラム媒体のローディング方法の説明図である。
【図１２】本発明に基づく実施の形態２におけるホログラム再生方法のフローチャートである。
【図１３】本発明に基づく実施の形態２におけるホログラム再生方法の好ましい形態の説明図である。
【図１４】本発明に基づく実施の形態３におけるホログラム再生装置の斜視図である。
【図１５】本発明に基づく実施の形態３におけるホログラム再生装置で用いられるホログラム媒体の概念図である。
【符号の説明】
【００６０】
１，１ｈ  ホログラム再生装置、２  筐体、２ｂ  回転軸、３，４  （ピックアップ部の）ガイドシャフト、５，６  （媒体ステージの）ガイドシャフト、７０，１３０  ホログラム媒体、７１  ホログラム記録層、７２ａ，７２ｂ  基材、８０  レーザ光源装置、８１  レーザダイオード、８２  コリメートレンズ、８３  コリメートレンズホルダ、８４  （レーザ光源装置の）ミラー、９０  撮像装置、９１  撮像素子、９２  対物レンズ、９３  対物レンズホルダ、９４  絞り、１００  回転制御ミラー装置、１０１  ミラー、１０２  ミラーホルダ、１０２ａ，１０２ｂ  回転軸、１０２ｘ  軸線、１０５  ウォームホイール、１０６  モータ、１１０  ピックアップ部、１１１  ピックアップハウジング、１１５  軸受け、１２０  媒体ステージ、１２５  軸受け、４０１  データ記録箇所、４０５  始点、４０６  終点、４１０，４２０  区間、５０１  ピックアップ部駆動方向、５０２  媒体ステージ駆動方向、５１０  矢印、ＰＡ  レーザ光、Ｒ１，Ｒ２  参照光。
【図１】
2010061738.tif 000003
【図２】
2010061738.tif 000004
【図３】
2010061738.tif 000005
【図４】
2010061738.tif 000006
【図５】
2010061738.tif 000007
【図６】
2010061738.tif 000008
【図７】
2010061738.tif 000009
【図８】
2010061738.tif 000010
【図９】
2010061738.tif 000011
【図１０】
2010061738.tif 000012
【図１１】
2010061738.tif 000013
【図１２】
2010061738.tif 000014
【図１３】
2010061738.tif 000015
【図１４】
2010061738.tif 000016
【図１５】
2010061738.tif 000017